(57)【要約】【課題】  待機時に受信機本体の内部電源を入れることなく、すべての放送局の情報を得ることができるデジタル放送受信装置及びリモコン装置を提供する。【解決手段】  リモコン送信機１は、デジタル放送を受信するチューナ部１３と、受信したデジタル放送の情報から番組表に関連するデータを解析し、解析したデータを不揮発性メモリ１５に記憶し、ユーザ指示に従って記憶したデータを地上デジタル放送受信機２に送信する制御部１４とを備え、デジタル放送受信機２は、リモコン送信機１から送信されたデータと不揮発性メモリ２４に記憶されたデータとを比較し、送信されたデータが新しい場合データを更新する制御を行う。【選択図】  図１
2006041827.tif 000002
【特許請求の範囲】
【請求項１】
リモートコントロール装置（以下、リモコン装置という）によって遠隔操作され、デジタル放送を受信するデジタル放送受信装置において、
前記リモコン装置は、デジタル放送を受信する第1の放送受信手段と、
受信したデジタル放送の情報を解析する解析手段と、
解析したデータを記憶する記憶手段と、
記憶したデータを前記デジタル放送受信装置に送信するデータ送信手段と
を備えることを特徴とするデジタル放送受信装置。
【請求項２】
リモコン装置によって遠隔操作され、デジタル放送を受信するデジタル放送受信装置において、
前記リモコン装置は、デジタル放送を受信する第1の放送受信手段と、
受信したデジタル放送の情報から番組表に関連するデータを解析する解析手段と、
解析した前記データを記憶する記憶手段と、
記憶した前記データを前記デジタル放送受信装置に送信するデータ送信手段とを備え、
前記デジタル放送受信装置は、デジタル放送を受信する第２の放送受信手段と、
受信したデジタル放送の情報から番組表に関連するデータを解析する受信機側解析手段と、
解析した前記データを記憶する受信機側記憶手段と、
前記リモコン装置から送信された前記データを受信するデータ受信手段と、
前記リモコン装置から送信された前記データと前記受信機側記憶手段に記憶された前記データとを比較し、前記リモコン装置から送信された前記データが新しい場合、前記受信機側記憶手段に記憶された前記データを前記リモコン装置から送信された前記データにより更新する更新手段と
を備えることを特徴とするデジタル放送受信装置。
【請求項３】
前記第1の放送受信手段は、放送に付随したデータを受信することを特徴とする請求項１又は２に記載のデジタル放送受信装置。
【請求項４】
前記放送に付随したデータは、文字データであることを特徴とする請求項３記載のデジタル放送受信装置。
【請求項５】
前記解析手段は、現在放送されているデジタル放送の局及びチャンネルのデータを解析することを特徴とする請求項１又は２に記載のデジタル放送受信装置。
【請求項６】
前記リモコン装置は、前記デジタル放送受信装置が受信待機中又は内部電源ＯＦＦであってもデジタル放送を受信し、該受信したデジタル放送のデータを解析し、該解析したデータを記憶することを特徴とする請求項１又は２に記載のデジタル放送受信装置。
【請求項７】
さらに、前記リモコン装置は、受信したデータが更新されたデータであることを報知する更新データ報知手段を備え、
前記放送受信手段により受信したデータが前記更新データであることを報知するようにしたことを特徴とする請求項１乃至６のいずれか一項に記載のデジタル放送受信装置。
【請求項８】
前記更新データ報知は、前記リモコン装置に設けられた、表示部によるメッセージ表示、放音部による音又は音声による報知、報知ランプによる報知のいずれか、又はそれらの組合わせであることを特徴とする請求項１乃至７のいずれか一項に記載のデジタル放送受信装置。
【請求項９】
被操作機器を遠隔操作するリモコン装置において、
デジタル放送を受信する放送受信手段と、
受信したデジタル放送の情報を解析する解析手段と、
解析したデータを記憶する記憶手段と、
記憶したデータを前記被操作機器に送信するデータ送信手段と
を備えることを特徴とするリモコン装置。
【発明の詳細な説明】
【技術分野】
【０００１】
本発明は、デジタル放送を受信するデジタル放送受信装置及びリモコン装置に関する。
【背景技術】
【０００２】
従来の地上デジタル放送受信機は、放送を視聴する基本機能のほかに番組表などの放送に付随したデータを受信し、受信機本体内に取り込み処理を行う。例えば、その情報が番組表である場合、取り込んだデータを解析し、予め決められている画面領域に時間、チャンネル，番組名等を表示させている。これら情報を得るためにはデジタル放送番組視聴中は、視聴しているチャンネルのみの情報しか得られない。また、すべての局の情報を得るためには、地上デジタル放送受信機が待機状態の時に情報を得ている。
【０００３】
また、特許文献１には、リモコン機能を有する液晶モニタを使用し、ＴＶやＶＴＲ等の受信装置と送受信し、該液晶モニタにＴＶ映像等を表示する情報システム及び操作装置が開示されている。
【０００４】
【特許文献１】特開２００４−７７０１号公報
【発明の開示】
【発明が解決しようとする課題】
【０００５】
しかしながら、このような従来のデジタル放送受信機にあっては、地上デジタル放送に付随するデータを取得する場合、視聴している放送局のみの情報しか得られない不具合がある。地上デジタル放送に重畳されたすべてのチャンネルの情報を得るためには、デジタル放送受信以外の視聴を行っている時や受信機が待機状態の時に、すべてのデジタル放送局の情報を得なければならない。デジタル放送以外の視聴時には、すべてのデジタル放送の情報を得ることができるが、デジタル放送に切り換えられた時点では該チャンネル情報取得動作を一旦中断しなければならず、実際にはすべての情報を得ることは困難である。
【０００６】
また、待機時にチャンネル情報を得る場合には、待機中であるため画面こそ消えているが情報を得るためにデジタル放送受信機本体内部回路に通電を行わなければならいという欠点があった。
【０００７】
さらに、特許文献１に記載の装置は、リモコン機能を有する液晶モニタを使用し、ＴＶやＶＴＲ等の受信装置と送受信し、該液晶モニタにＴＶ映像等を表示するものであってチャンネル情報を取得するものではない。
【０００８】
本発明は、このような課題に鑑みてなされたものであって、待機時に受信機本体の内部電源を入れることなく、すべての放送局の情報を得ることができるデジタル放送受信装置及びリモコン装置を提供することを目的としている。
【課題を解決するための手段】
【０００９】
本発明のデジタル放送受信装置は、リモコン装置によって遠隔操作され、デジタル放送を受信するデジタル放送受信装置において、前記リモコン装置は、デジタル放送を受信する放送受信手段と、受信したデジタル放送の情報を解析する解析手段と、解析したデータを記憶する記憶手段と、記憶したデータを前記デジタル放送受信装置に送信するデータ送信手段とを備えることを特徴としている。
【００１０】
本発明のデジタル放送受信装置は、リモコン装置によって遠隔操作され、デジタル放送を受信するデジタル放送受信装置において、前記リモコン装置は、デジタル放送を受信する放送受信手段と、受信したデジタル放送の情報から番組表に関連するデータを解析する解析手段と、解析した前記データを記憶する記憶手段と、記憶した前記データを前記デジタル放送受信装置に送信するデータ送信手段とを備え、前記デジタル放送受信装置は、デジタル放送を受信する第２の放送受信手段と、受信したデジタル放送の情報から番組表に関連するデータを解析する受信機側解析手段と、解析した前記データを記憶する受信機側記憶手段と、前記リモコン装置から送信された前記データを受信するデータ受信手段と、前記リモコン装置から送信された前記データと前記受信機側記憶手段に記憶された前記データとを比較し、前記リモコン装置から送信された前記データが新しい場合、前記受信機側記憶手段に記憶された前記データを前記リモコン装置から送信された前記データにより更新する更新手段とを備えることを特徴としている。
【００１１】
より好ましい具体的な態様として、前記第1の放送受信手段は、放送に付随したデータを受信する。また、前記放送に付随したデータは、文字データである。
【００１２】
より好ましい具体的な態様として、前記解析手段は、現在放送されているデジタル放送の局及びチャンネルのデータを解析する。
【００１３】
前記リモコン装置は、前記デジタル放送受信装置が受信待機中又は内部電源ＯＦＦであってもデジタル放送を受信し、該受信したデジタル放送のデータを解析し、該解析したデータを記憶するものであってもよい。
【００１４】
さらに、前記リモコン装置は、受信したデータが更新されたデータであることを報知する更新データ報知手段を備え、前記放送受信手段により受信したデータが前記更新データであることを報知することがより好ましい。
【００１５】
前記更新データ報知は、前記リモコン装置に設けられた、表示部によるメッセージ表示、放音部による音又は音声による報知、報知ランプによる報知のいずれか、又はそれらの組合わせであってもよい。
【００１６】
本発明のリモコン装置は、被操作機器を遠隔操作するリモコン装置において、デジタル放送を受信する放送受信手段と、受信したデジタル放送の情報を解析する解析手段と、解析したデータを記憶する記憶手段と、記憶したデータを前記被操作機器に送信するデータ送信手段とを備えることを特徴としている。
【００１７】
したがって、デジタル放送受信装置が待機中であっても、リモコン装置が備える受信手段によりデジタル放送を受信するとともに、解析手段により解析し、記憶手段に記憶することにより、デジタル放送受信装置の内部電源を入れることなくすべてのチャンネルについて最新のデータを入手することができる。
【発明の効果】
【００１８】
以上、詳述したように、本発明によれば、デジタル放送受信装置側において余計な電力を消費することなく、すべてのチャンネルについて最新の放送データを得ることができる。
【発明を実施するための最良の形態】
【００１９】
以下、添付図面を参照しながら本発明の好適なデジタル放送受信装置及びリモコン装置の実施の形態について詳細に説明する。
【００２０】
図１は、本発明の実施の形態のデジタル放送受信装置を制御するリモコン送信機（リモコン装置）の構成を示す図である。また、図２は、本デジタル放送受信装置（被操作機器）の基本構成を示すブロック図である。本実施の形態に係るデジタル放送受信装置は、地上デジタル放送を受信して再生する地上デジタル放送受信機に適用した例である。
【００２１】
図１において、リモコン送信機１は、メンブレンキー（Membrane key）からなりユーザ操作を入力する操作部１１、アンテナ１２、変調部１３ａを内蔵しデジタル放送を受信するチューナ部１３（第１の放送受信手段）、ＣＰＵなどにより構成され装置全体を制御する制御部１４（解析手段）、プログラムを格納するＥＥＰＲＯＭ（electrically erasable programmable ROM）等からなり解析したデータを記憶する不揮発性メモリ１５（記憶手段）、プログラムを実行させるためのメモリ１６、及び地上デジタル放送受信機２へ制御信号を送る信号送信部１７（データ送信手段）を備えて構成される。
【００２２】
また、受信した番組情報などのデータや受信したデータが更新されたデータであることを報知する報知手段１８（更新データ報知手段）を備える構成でもよい。報知手段１８は、ＬＣＤ等からなる表示部によるメッセージ表示のほか、例えば発音装置として制御部１４からの出力信号をデジタル信号処理する音声コーデックを設置する構成でもよい。音声コーデックは、ＰＣＭ（Pulse Code Modulation）音源ＩＣ等により構成され、制御部１４から受け取った信号を音声信号に変換してスピーカから出力する。また、音による報知やＬＥＤ等の報知ランプによる点灯／点滅、色の変更による報知、これらの組合わせでもよい。
【００２３】
デジタル放送では、視聴用の放送番組とは別に、放送に付随した番組表などのデータが一日に数回内容が更新されて送信されている。チューナ部１３は、この放送に付随したデータ（テキストデータなどの文字データが一般的である）を受信する後述する地上デジタル放送受信機２のチューナ部２２（第２の放送受信手段）よりも簡易なチューナである。チューナ部１３は、地上デジタル放送受信機２のチューナ部２２のように放送番組を受信する機能は備えていないが別途アダプタ接続により画像や動画等の画像データを受信することも可能である。
【００２４】
制御部１４は、チューナ部１３によりデジタル放送を受信し、受信したデジタル放送の情報から番組表に関連するデータを解析し、解析したデータを不揮発性メモリ１５に記憶し、ユーザ指示に従って記憶したデータをデジタル放送受信機２に送信する制御を行う。
【００２５】
信号送信部１７は、赤外線通信又は無線通信によりコマンドを送信して地上デジタル放送受信機２を制御するリモコン制御機能に加え、ユーザ指示に従って不揮発性メモリ１５に記憶したデータを地上デジタル放送受信機２に送信する機能を有する。
【００２６】
図２において、地上デジタル放送受信機２は、アンテナ２１、変調部２２ａを内蔵し地上デジタル放送を受信するチューナ部２２、ＣＰＵなどにより構成され装置全体を制御する制御部２３（受信機側解析手段，更新手段）、プログラムを格納するＥＥＰＲＯＭ等からなる不揮発性メモリ２４（受信機側記憶手段）、プログラムを実行させるためのメモリ２５、受信機本体側の操作部２６、リモコン送信機１から送られてきた信号を受け取る信号受信部２７（データ受信手段）、映像処理部２８、映像を出力する映像出力部２９、音声ＤＡＣを有し音声処理する音声処理部３０、及び音声を出力するスピーカ等の音声出力部３１を備えて構成される。
【００２７】
制御部２３は、受信したデジタル放送の情報から番組表に関連するデータを解析し、解析したデータを不揮発性メモリ２４に記憶するとともに、リモコン送信機１から送信されたデータと不揮発性メモリ２４に記憶されたデータとを比較し、送信されたデータが新しい場合データを更新する制御を行う。
【００２８】
チューナ部２２は、地上波デジタル，ＣＳ／ＢＳデジタル放送信号、さらにアナログ放送用の信号を受信し復調する。
【００２９】
以下、上述のように構成された地上デジタル放送受信機２を制御するリモコン送信機１の動作を説明する。
【００３０】
リモコン送信機１は、操作部１１からの指示を制御部１４が判断し、押されたボタンに対応する決められた波形を信号送信部１７から地上デジタル放送受信機２に送信する。操作部１１は、複数のボタンから形成され、各々のボタンに意味付けられた信号が制御部１４に入力される。本例では、リモコン送信機１にデジタル放送を受信するためのアンテナ１２を介し、チューナ部１３によりデジタル放送を受信する。図１では、アンテナ１２は、リモコン送信機１に内蔵した形式で示しているが、外部アンテナから信号を受けてもよい。受信周波数は、制御部１４からの指示を受ける。チューナ部１３で受信した信号は、変調部１３ａによりデジタル信号に変換され制御部１４に入力される。また、変調部１３ａは、チューナ部１３に内蔵した形式で示しているが、チューナ部１３内になくても、外部チューナ部１３と制御部１４の間にあってもよい。
【００３１】
制御部１４は、予め動作指示が格納されている不揮発性メモリ１５よりプログラムを呼び出しメモリ１６に転送され、動作が行われる。制御部１４内では、チューナ部１３送られてきた信号を解析し、放送に付随された情報を取り出し、メモリ１６に記憶させる。メモリ１６に格納された放送データは、操作部１１からの指示により、送信部１７から地上デジタル放送受信機２に送信される。
【００３２】
リモコン送信機１が放送データを受信する例としては、操作部１１からの操作者からの指示や、操作部１１のボタンが押されてから、一定時間操作部１１のボタンが押されなかった場合にデータ受信の動作を開始する。以下、リモコン送信機１の放送データ受信動作について説明する。
【００３３】
まず、デジタル放送が放送される周波数帯域をすべて調査し、現在放送されている周波数及びチャンネルの確認を行う。放送されている周波数を取得した後、順に周波数を合わせその放送のデータを取得し、メモリ１６に記録していく。
【００３４】
放送されている数だけこの動作を繰り返し、受信できる放送の番組情報を取得する。一連のデータ取得動作が完了し、メモリ１６に記録された情報は、不揮発性メモリ１５に転送され保持される。
【００３５】
リモコン送信機１の操作部１１に割り当てられているキーより指示を行うことにより、不揮発性メモリ１５に記録されているデータが、制御部１４に読みこまれ、信号送信部１７より送信される。
【００３６】
ここで、データの送信を行うキーを、電源を入れるキーに割り当てることで、受信機の電源を入れる指示を行うためのデータを送信し、地上デジタル放送受信機２は毎起動時に新しいデータを得ることができる。
【００３７】
図３は、リモコン送信機１の報知手段１８のデータ表示例を示す図である。
制御部１４は、受信したデジタル放送の情報を解析し、前回と異なる、放送に付随した番組表データを受信したときは、この最新データを不揮発性メモリ１５に記憶するとともに、最新データを取得したメッセージを表示画面１９に表示してユーザに知らせる。例えば図３（ａ）に示すように、「最新チャンネル情報を取得しました」を点滅表示する。ここで、ユーザが実行キーやカーソルキー等を押すと、図１３（ｂ）に示す最新データの詳細情報を表示する。詳細情報は、例えばチャンネル、時間、番組名「ＣＨ○○  △△：××  ドラマＡ」「ＣＨ○○  △△：××  特番Ｂ」を表示し、最後に「実行キーでＴＶ側にデータを送ります」を表示する。図３の表示によりユーザは、リモコン送信機１による番組表に関連するデータの更新内容を知ることができる。なお、ユーザ操作を待たずにデータの詳細表示及びデータ送信を自動実行する態様でもよい。
【００３８】
一方、地上デジタル放送受信機２は、デジタル放送を受信するためのアンテナ２１を介し、チューナ２２にてデジタル放送を受信する。チューナ部２２で受信した信号は、変調部２２ａによりデジタル信号に変換され制御部２３に入力される。
【００３９】
図２では、変調部２２ａは、チューナ部２２に内蔵した形式で示しているが、チューナ部２２内になくても、外部チューナ部２２と制御部２３の間にあってもよい。
【００４０】
制御部２３は、予め動作指示が格納されている不揮発性メモリ２４よりプログラムを呼び出しメモリ２５に転送し動作が行われる。
【００４１】
地上デジタル放送受信機２は、本体にある操作部２６や、リモコン送信機１から送られてくる制御信号を受信する信号受信部２７からの指示により、地上デジタル放送受信機２全体の操作を行う。チューナ部２２から送られてきたデータでは、制御部２３内で処理され、映像信号は、映像信号処理部２８に渡され、映像出力部２９に表示される。音声信号は、音声信号処理部３０に渡され、音声出力部３１から再生される。また、放送に重畳されたデータについては、一時的にメモリ２５に記憶され操作部２６やリモコン送信機１からの送信データを指示により映像信号として出力され、映像出力部２９に表示される。視聴終了時には、メモリ２５に記憶された必要データが、不揮発性メモリ２４に転送されその内容が保持される。
【００４２】
リモコン送信機１から送信された放送データは、地上デジタル放送受信機２の信号受信部２７で受信される。受信した放送データは、制御部２３を介し、メモリ２５に記録される。制御部２３では、デジタル受信機２が不揮発性メモリ２４内に保持しているデータと比較し、送られてきたデータが新しければデータの置き換えを行う。また、送られてきたデータが同じ内容または古い内容と判断したときは、受信機内のデータを保持し、送られてきたデータを破棄する。一連のデータ取得動作が完了し、メモリ２５に記録された情報は、不揮発性メモリ２４に転送され保持される。
【００４３】
制御部２３は、地上デジタル放送受信機２の待機時のみ動作し、操作部２６や信号受信部２７からの信号を受ける部分のみ動作する部分と受信機全体を動作させる部分とわかれていても良い。この場合、地上デジタル放送受信機２が待機状態で、リモコン送信機１から地上デジタル放送受信機２の電源を入れる指示を行った場合にリモコン送信機１は、システムが完全に起動した時間を見計らい時間をおいて放送データの送信を行う。
【００４４】
リモコン送信機１より電源を入れる指示を送ってから地上デジタル放送受信機２の全体システムが立ち上がるまでの時間は、地上デジタル放送受信機２に依存するので固定値で良いが、リモコン送信機１の操作部１１からの指示からのみデータの送信を可能としても良いし、一定時間リモコン送信機１の操作部１１への入力がない状態を検知してから送信しても良い。これらの設定は、リモコン送信機１の操作部１１から行うことができる。
【００４５】
以上のように、本実施の形態の地上デジタル放送受信機２は、リモコン送信機１が、デジタル放送を受信するチューナ部１３と、受信したデジタル放送の情報から番組表に関連するデータを解析し、解析したデータを不揮発性メモリ１５に記憶し、ユーザ指示に従って記憶したデータを地上デジタル放送受信機２に送信する制御部１４とを備え、デジタル放送受信機２は、リモコン送信機１から送信されたデータと不揮発性メモリ２４に記憶されたデータとを比較し、送信されたデータが新しい場合データを更新する制御を行うので、地上デジタル放送受信機２側において余計な電力を消費することなく、すべてのチャンネルについて最新の放送データを得ることができる。
【００４６】
すなわち、従来例では、地上デジタル放送を視聴時の場合、視聴している放送局のみの情報しか得られず、すべての放送局の情報を得るためには、地上デジタル放送受信機２が待機状態になった時に取得する必要があったが、本実施の形態によれば、リモコン送信機１がデータ放送の内容を受信するので、地上デジタル放送受信機が待機中にデータを受信することがなくなり余計な電力を消費することなく、すべてのチャンネルについて最新の放送データを得ることができる。
【００４７】
なお、本実施の形態に係るデジタル放送受信装置は、上述した地上デジタル放送受信機は勿論のこと、ＣＳ，１１０°デジタル放送受信装置、さらにはテレビジョン受信機以外の電子機器、例えばデジタル放送チューナを内蔵／接続可能なパーソナルコンピュータや携帯電話のデジタル放送受信装置に適用してもよい。さらに、リモコン送信機１はデジタル放送受信装置以外の、例えば録画再生装置（被制御機器）に受信し記憶したデータを送信するものでもよい。
【００４８】
また、図３のデータ表示例は一例であり、データ非表示を含めどのような表示形態でも構わない。
【００４９】
また、本実施の形態ではデジタル放送受信機及びリモコン送信機という名称を用いたが、これは説明の便宜上であり、テレビジョン受信機、操作装置等であってもよいことは勿論である。
【００５０】
さらに、上記デジタル放送受信機を構成する各回路部、例えば記憶装置等の種類、数及び接続方法などは前述した実施の形態に限られない。
【００５１】
以上説明したデジタル放送受信装置は、このデジタル放送受信装置及びリモコン装置を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００５２】
【図１】本発明の実施の形態のデジタル放送受信装置を制御するリモコン装置の構成を示す図である。
【図２】本実施の形態のデジタル放送受信装置の基本構成を示すブロック図である。
【図３】本実施の形態のデジタル放送受信装置のリモコン送信機の表示部のデータ表示例を示す図である。
【符号の説明】
【００５３】
１  リモコン送信機（リモコン装置）
２  地上デジタル放送受信機（デジタル放送受信装置，被操作機器）
１１，２６  操作部
１２，２１  アンテナ
１３  チューナ部（第１の放送受信手段）
１３ａ，２２ａ  変調部
１４  制御部（解析手段）
１５  不揮発性メモリ（記憶手段）
１６，２５  メモリ
１７  信号送信部（データ送信手段）
１８  報知手段（更新データ報知手段）
１９  表示画面
２２  チューナ部（第２の放送受信手段）
２３  制御部（受信機側解析手段，更新手段）
２４  不揮発性メモリ（受信機側記憶手段）
２７  信号受信部（データ受信手段）
２８  映像処理部
２９  映像出力部
３０  音声処理部
３１  音声出力部
【図１】
2006041827.tif 000003
【図２】
2006041827.tif 000004
【図３】
2006041827.tif 000005